(57)【要約】【課題】  簡素な構造で、テンプルに確実に弾性付勢力を付与することができ、しかも、組立が容易で、かつ、弾性バネ部材の金属疲労による故障リスクも軽減することができるバネ丁番眼鏡を提供すること。【解決手段】  連結部材１の上下に対面する止着ナックル板の12ｎと12ｎとの間にはエンドピース２の止着片21を差込んで少なくとも複数の止着部材４で当該エンドピース２に固定する一方、上下に対面するヒンジナックル板の13ｎと13ｎとの間にはテンプル部材３の回動片31を差込んで止着枢軸５で枢支して当該テンプル部材３を折畳み可能に連結せしめるとともに、前記連結部材１の弾性部材11における凸曲部11ａが眼鏡フロント方向になるように配置固定することにより、前記テンプル部材３の過拡開操作に対し、当該弾性板部11が、凸曲部11ａを支点として圧縮閉脚方向に撓曲するようにするという技術的手段を採用した。【選択図】  図１
2006195336.tif 000002
【特許請求の範囲】
【請求項１】
弾性金属薄板の打抜き加工により作製される板状部材であって、弾性板部11にはヘアピン状に折返された凸曲部11ａが形成される一方、当該弾性板部11の各端部のうち一方の持出端部には一対の止着ナックル板12ｎ・12ｎが対称的に形成され、かつ、この一対の止着ナックル板12ｎ・12ｎが上下に平行対面状態に折り曲げられて持出止着片12を構成するとともに、同弾性板部11の他方の持出端部には一対のヒンジナックル板13ｎ・13ｎが対称的に形成され、かつ、この一対のヒンジナックル板13ｎ・13ｎが上下に平行対面状態に折り曲げられて持出ヒンジ片13を構成した連結部材１と；
左右一対のレンズＬ・ＬがブリッジＢで連結されて成る眼鏡フロント部Ｆの外側両端に配設される部材であって、前記連結部材１の持出止着片12の止着ナックル板12ｎと12ｎとの間に差込可能で、かつ、複数の止着孔21ａを備える止着片21を端部に有するエンドピース２と；
前記連結部材１の持出ヒンジ片13のナックル板13ｎと13ｎとの間に差込可能な回動片31を端部に有するテンプル部材３とを具備して構成されており、
前記上下に対面する止着ナックル板の12ｎと12ｎとの間には前記エンドピース２の止着片21を差込んで少なくとも複数の止着部材４で当該エンドピース２に固定する一方、
前記上下に対面するヒンジナックル板の13ｎと13ｎとの間には前記テンプル部材３の回動片31を差込んで止着枢軸５で枢支して当該テンプル部材３を折畳み可能に連結せしめるとともに、
前記連結部材１の弾性部材11における凸曲部11ａが眼鏡フロント方向になるように配置固定することにより、前記テンプル部材３の過拡開操作に対し、当該弾性板部11が、凸曲部11ａを支点として圧縮閉脚方向に撓曲することを特徴とするバネ丁番眼鏡。
【請求項２】
上下のナックル板12ｎ・12ｎ（13ｎ・13ｎ）を折り曲げて持出片12（13）を形成する際にナックル板12（13）同士の間隔を調整するためのスリット12ｂ（13ｂ）が欠き取り形成されていることを特徴とする請求項１記載のバネ丁番眼鏡。
【請求項３】
連結部材１の弾性部材11における凸曲部11ａが略Ｕ字型に作製されていることを特徴とする請求項１または２記載のバネ丁番眼鏡。
【請求項４】
連結部材１がチタン薄板の如き弾性の優れた金属板体により作製されていることを特徴とする請求項１〜３の何れか一つに記載のバネ丁番眼鏡。
【発明の詳細な説明】
【技術分野】
【０００１】
本発明は、バネ丁番眼鏡の改良、更に詳しくは、簡素な構造で、テンプルに確実に弾性付勢力を付与することができ、しかも、組立が容易で、かつ、弾性バネ部材の金属疲労による故障リスクも軽減することができるバネ丁番眼鏡に関するものである。
【背景技術】
【０００２】
周知のとおり、バネ丁番眼鏡は、眼鏡フロント枠の両端のエンドピースとテンプルとをヒンジ連結すべき丁番部分にコイルバネを組み込むことによって、テンプルを普通に開いた状態から更に外側へ弾性的に拡開できるように構成されている。
【０００３】
そして、かかる弾性的な外側拡開作用によって、テンプルで眼鏡装着者の側頭部を適度に締め付けることが可能となり、眼鏡の装着感が頗る良好になり、また、テンプルに加わる無理な外力による眼鏡フロント枠の変形も防止することが可能となった。
【０００４】
しかしながら、従来のバネ丁番眼鏡は、コイルバネその他の中間部品が丁番機構内部に内装して組み立てられていたため（例えば、特許文献１参照）、構造が著しく複雑化するとともに、各部品が微小化することになり、組立作業に手間がかかって製造コストの上昇を招くという問題があった。
【特許文献１】特開平９−197351号公報（第３−５頁、図１−４）
【発明の開示】
【発明が解決しようとする課題】
【０００５】
本発明は、従来のバネ丁番眼鏡に上記の問題点があったことに鑑みて為されたものであって、その目的とするところは、簡素な構造で、テンプルに確実に弾性付勢力を付与することができ、しかも、組立が容易で、かつ、弾性バネ部材の金属疲労による故障リスクも軽減することができるバネ丁番眼鏡を提供することにある。
【課題を解決するための手段】
【０００６】
本発明者が上記課題を解決するために採用した手段を添付図面を参照して説明すれば次のとおりである。
【０００７】
即ち、本発明は、弾性金属薄板の打抜き加工により作製される板状部材であって、弾性板部11にはヘアピン状に折返された凸曲部11ａが形成される一方、当該弾性板部11の各端部のうち一方の持出端部には一対の止着ナックル板12ｎ・12ｎが対称的に形成され、かつ、この一対の止着ナックル板12ｎ・12ｎが上下に平行対面状態に折り曲げられて持出止着片12を構成するとともに、同弾性板部11の他方の持出端部には一対のヒンジナックル板13ｎ・13ｎが対称的に形成され、かつ、この一対のヒンジナックル板13ｎ・13ｎが上下に平行対面状態に折り曲げられて持出ヒンジ片13を構成した連結部材１と；
左右一対のレンズＬ・ＬがブリッジＢで連結されて成る眼鏡フロント部Ｆの外側両端に配設される部材であって、前記連結部材１の持出止着片12の止着ナックル板12ｎと12ｎとの間に差込可能で、かつ、複数の止着孔21ａを備える止着片21を端部に有するエンドピース２と；
前記連結部材１の持出ヒンジ片13のナックル板13ｎと13ｎとの間に差込可能な回動片31を端部に有するテンプル部材３とを具備して構成されており、
前記上下に対面する止着ナックル板の12ｎと12ｎとの間には前記エンドピース２の止着片21を差込んで少なくとも複数の止着部材４で当該エンドピース２に固定する一方、
前記上下に対面するヒンジナックル板の13ｎと13ｎとの間には前記テンプル部材３の回動片31を差込んで止着枢軸５で枢支して当該テンプル部材３を折畳み可能に連結せしめるとともに、
前記連結部材１の弾性部材11における凸曲部11ａが眼鏡フロント方向になるように配置固定することにより、前記テンプル部材３の過拡開操作に対し、当該弾性板部11が、凸曲部11ａを支点として圧縮閉脚方向に撓曲するようにするという技術的手段を採用した。
【０００８】
また、本発明は、上記課題を解決するために、必要に応じて上記手段に加え、上下のナックル板12ｎ・12ｎ（13ｎ・13ｎ）を折り曲げて持出片12（13）を形成する際にナックル板12（13）同士の間隔を調整するためのスリット12ｂ（13ｂ）を欠き取り形成するという技術的手段を採用した。
【０００９】
更にまた、本発明は、上記課題を解決するために、必要に応じて上記手段に加え、連結部材１の弾性部材11における凸曲部11ａを略Ｕ字型に作製するという技術的手段を採用した。
【００１０】
更にまた、本発明は、上記課題を解決するために、必要に応じて上記手段に加え、連結部材１をチタン薄板の如き弾性の優れた金属板体により作製するという技術的手段を採用した。
【発明の効果】
【００１１】
本発明によるバネ丁番眼鏡によれば、弾性板部にヘアピン状に折返された凸曲部を形成し、当該弾性板部の各端部のうち一方の持出端部には一対の止着ナックル板が対称的に形成され、かつ、この一対の止着ナックル板が上下に平行対面状態に折り曲げられて持出止着片を構成するとともに、同弾性板部の他方の持出端部には一対のヒンジナックル板が対称的に形成され、かつ、この一対のヒンジナックル板が上下に平行対面状態に折り曲げられて持出ヒンジ片を構成し、しかも、弾性金属薄板の打抜き加工により作製したことにより、バネ性を有する連結部材を高効率に作製でき、かつ、組立も容易である。
【００１２】
また、前記連結部材の弾性板部の凸曲部が眼鏡フロント方向になるように配置固定したことにより、前記テンプル部材の過拡開操作に対し、前記弾性板部は凸曲部を支点として圧縮閉脚方向に撓曲することによって、弾性変形が頻繁に繰り返されても、小さな変位で良いので、復元弾性を安定せしめることができる。
【００１３】
したがって、簡素な構造で、テンプルに確実に弾性付勢力を付与することができ、しかも、組立が容易で、かつ、金属疲労による故障リスクを軽減することができる。また、折曲金属パーツは金属組織が一体を成しているため、溶接・ロウ付け作業が不要なので、生産性の大幅な向上と製作コストの低減化の実現もできることから、眼鏡における実用的利用価値は頗る高いものがある。
【発明を実施するための最良の形態】
【００１４】
本発明を実施するための最良の形態を具体的に図示した図面に基いて更に詳細に説明すると次のとおりである。
【００１５】
本発明の実施形態を図１から図５に基いて説明する。図中、符号１で指示するものは連結部材であり、この連結部材１は弾性金属薄板の打抜き加工(punching)により作製され、弾性板部11には、ヘアピン状に折返せる凸曲部11ａが形成される。本実施形態では、凸曲部11ａを略Ｕ字型にすることができ、かかる応力を均等にすることができる。
【００１６】
このように、金属薄板の打抜きなどの単純な板金加工(plate work)で作製することにより、安価であり、しかも、簡単に組み立てることができる。この際、耐蝕性および靱性の良好な金属薄板としては、例えば、β−チタン、チタンパラジウム合金、洋白、ベリリウム銅、ステンレス鋼(sus 402j2-CSP) などを採用することができる。本実施形態では、厚さ０.7mmのβ−チタンの薄板を打抜いて作製する。
【００１７】
また、当該弾性板部11の各端部のうち一方の持出端部には一対の止着ナックル板12ｎ・12ｎを対称的に形成し、かつ、この一対の止着ナックル板12ｎ・12ｎにはそれぞれ止め穴12ａ（本実施形態では、各２箇所ずつ）を形成するとともに、上下に平行対面状態に折り曲げて持出止着片12を構成することができる。
【００１８】
なお、上下の止着ナックル板12ｎ・12ｎを折り曲げて持出止着片12を形成する際に、止着ナックル板12同士の間隔を調整するためのスリット12ｂを欠き取って形成することができ、上下の止着ナックル板12をスリット12ｂの根本を捩り、適宜空隙を空けて上下に平行対面状態に折り曲げることにより持出止着片12を形成可能である。
【００１９】
そして、同様にして、弾性板部11の他方の持出端部には一対のヒンジナックル板13ｎ・13ｎを対称的に形成し、かつ、この一対のヒンジナックル板13ｎ・13ｎにはそれぞれ止め穴13ａを形成するとともに、上下に平行対面状態に折り曲げて持出ヒンジ片13を構成することができる。
【００２０】
また、符号２で指示するものはエンドピースであり、このエンドピース２は、左右一対のレンズＬ・ＬがブリッジＢで連結されて成る眼鏡フロント部Ｆの外側両端に配設される部材であって、前記連結部材１の持出止着片12の止着ナックル板12ｎと12ｎとの間に差込可能で、かつ、複数の止着孔21ａを備える止着片21を端部に有する。
【００２１】
更にまた、符号３で指示するものはテンプル部材３であり、このテンプル部材３は、眼鏡の側方部材であって、前記連結部材１の持出ヒンジ片13のナックル板13ｎと13ｎとの間に差込可能な回動片31を端部に有する。このテンプル部材３は、基端側の側面に回動片31が一体に形成されており、回動片31の中心には後述の止着枢軸を挿通すべき壷孔31ａが開設してある。他方、このテンプル部材３の反対側の端部には、後でモダンが被着されることになる
【００２２】
しかして、本実施形態のおけるバネ丁番眼鏡を構成するにあっては、まず、前記上下に対面する止着ナックル板の12ｎと12ｎとの間に前記エンドピース２の止着片21を差込んで止め穴12ａおよび少なくとも複数（本実施形態では、２個）の止着孔21ａにおいて、それぞれ止着部材４でエンドピース２に固定する。
【００２３】
次に、前記上下に対面するヒンジナックル板の13ｎと13ｎとの間には前記テンプル部材３の回動片31を差込んで止め穴12ａおよび壷穴31ａにおいて、止着枢軸５で枢支して当該テンプル部材３を折畳み可能に連結せしめることにより、本実施形態のバネ丁番眼鏡は構成される。
【００２４】
この際、前記連結部材１の凸曲部11ａが眼鏡フロント方向に持ち出されてヘアピン状に折返されて形成されていることにより、前記テンプル部材３の過拡開操作に対しては、前記弾性板部11は凸曲部11ａを支点として圧縮閉脚方向に撓曲する点が、本実施形態における最大の特徴である。
【００２５】
即ち、このようにして、弾性板部11は凸曲部11ａを支点として圧縮閉脚方向に撓曲することによって、弾性変形が頻繁に繰り返されても、小さな変位で良いので、復元弾性を安定せしめることができ、この凸曲部11ａにおける金属疲労による当該連結部材１の破断等を効果的に防止することができるのである。
【００２６】
本発明は概ね上記のように構成されるが、図示の実施形態に限定されるものでは決してなく、「特許請求の範囲」の記載内において種々の変更が可能であって、例えば、連結部材１の使用材料は、β−チタンに限らず、チタンパラジウム合金などの他の弾性金属や、高弾性樹脂材料などの弾性材料を採用しても良く、本発明の技術的範囲に属する。
【図面の簡単な説明】
【００２７】
【図１】本発明の実施形態の眼鏡を表わす全体斜視図である。
【図２】本発明の実施形態の眼鏡を表わす部分分解斜視図である。
【図３】本発明の実施形態の眼鏡を表わす全体上面図である。
【図４】本発明の実施形態の折曲加工前の連結部品を表わす正面図である。
【図５】本発明の実施形態の折曲加工後の連結部品を表わす斜視図である。
【符号の説明】
【００２８】
１    連結部材
11    弾性板部
12    持出止着片
12ｎ  止着ナックル板
12ｂ  スリット
13    持出ヒンジ片
13ｎ  ヒンジナックル板
13ｂ  スリット
２    エンドピース
21    止着片
21ａ  止着孔
３    テンプル部材
31    回動片
31ａ  壷穴
４    止着部材
５    止着枢軸
Ｌ    レンズ
Ｂ    ブリッジ
Ｆ    眼鏡フロント部
【図１】
2006195336.tif 000003
【図２】
2006195336.tif 000004
【図３】
2006195336.tif 000005
【図４】
2006195336.tif 000006
【図５】
2006195336.tif 000007